(57)【要約】【課題】ドア装置の美観を損ねることなく、仮に指を挟んでしまった場合でも、指を痛めることがない指詰め防止構造を提供する。【解決手段】ドア枠１と扉体２とからなるドア装置の指詰め防止構造において、ドア枠１の吊元側縦枠１１の見込壁は、閉鎖時に扉体の吊元側端面２３に対向する第１部分１１Ａと、室内側に位置する第２部分１１Ｂと、第１部分１１Ａの室内側部位と第２部分１１Ｂの室外側部位の間に形成された気密部材嵌込用凹溝１１Ｃと、を備えており、第２部分１１Ｂの室外側部位は凹溝１１Ｃを形成する突片１１Ｄであり、突片１１Ｄの少なくとも一部を、凹溝側あるいは／および凹溝から離間する側へ回動可能な回動突片１１Ｄ´から形成した。【選択図】図３
2008223319.tif 000002
【特許請求の範囲】
【請求項１】
ドア枠と扉体とからなるドア装置の指詰め防止構造において、
ドア枠の吊元側縦枠の見込壁は、閉鎖時に扉体の吊元側端面に対向する第１部分と、室内側に位置する第２部分と、前記第１部分の室内側部位と前記第２部分の室外側部位の間に形成された気密部材嵌込用凹溝と、を備えており、
前記凹溝を形成する第２部分の室外側部位は見込方向に突出する立ち上がり状の突片であり、前記突片の少なくとも一部を、前記第２部分と面一の立ち上がり状態から凹溝側あるいは／および凹溝から離間する側へ回動可能な回動突片から形成した、指詰め防止構造。
【請求項２】
ドア枠と扉体とからなるドア装置の指詰め防止構造において、
ドア枠の吊元側縦枠の見込壁は、閉鎖時に扉体の吊元側端面に対向する第１部分と、室外側に位置する第２部分と、前記第１部分の室外側部位と前記第２部分の室内側部位の間に形成された気密部材嵌込用凹溝と、を備えており、
前記凹溝を形成する第２部分の室内側部位は見込方向に突出する立ち上がり状の突片であり、前記突片の少なくとも一部を、前記第２部分と面一の立ち上がり状態から凹溝側あるいは／および凹溝から離間する側へ回動可能な回動突片から形成した、指詰め防止構造。
【請求項３】
前記回動突片は、立ち上がり状態において凹溝側へ回動可能であり、かつ、凹溝から離間する側への回動は規制されている、請求項１、２いずれかに記載の指詰め防止構造。
【発明の詳細な説明】
【技術分野】
【０００１】
本発明は、開き戸の指詰め防止構造に関するものである。
【背景技術】
【０００２】
従来の開き戸では、特に吊元部に対する安全の配慮が乏しく、使用者の不注意とはいえ仮に指を挟んでしまった場合、指を痛めてしまう危険性が潜んでいる。
【０００３】
特許文献１には、「扉は吊元側を扉枠に対して回転可能に結合され、扉枠の戸先側パッキン溝の溝壁の少なくとも上下方向中央部に、扉を閉めた状態において扉の内面との間に指の厚さより少し大きくなる程度の設定された凹部が形成されてなることを特徴とする指詰め防止用ドア枠の構造」、が記載されている。しかしながら、このものでは、パッキン溝の溝壁に形成した凹部がドア装置の意匠性を損ねてしまうという不具合がある。
【特許文献１】特開平１０−８８１３
【発明の開示】
【発明が解決しようとする課題】
【０００４】
本発明は、ドア装置の美観を損ねることなく、仮に指を挟んでしまった場合でも、指を痛めることがないような指詰め防止構造を提供することを目的とする。
【課題を解決するための手段】
【０００５】
本発明が採用した技術手段は、ドア枠と扉体とからなるドア装置の指詰め防止構造において、ドア枠の吊元側縦枠の見込壁は、閉鎖時に扉体の吊元側端面に対向する第１部分と、室内側に位置する第２部分と、前記第１部分の室内側部位と前記第２部分の室外側部位の間に形成された気密部材嵌込用凹溝と、を備えており、前記凹溝を形成する第２部分の室外側部位は見込方向に突出する立ち上がり状の突片であり、前記突片の少なくとも一部を、前記第２部分と面一の立ち上がり状態から凹溝側あるいは／および凹溝から離間する側へ回動可能な回動突片から形成した、指詰め防止構造、である。かかる技術手段はいわゆる外開きのドア装置についてのものであるが、本発明に係る技術思想はいわゆる内開きのドア装置にも適用でき、具体的には、外開きドア装置の構成において「室外側」と「室内側」を逆にすればよい。
【０００６】
一つの好ましい態様では、同様の指詰め防止構造を戸先側にも設ける。すなわち、ドア枠の戸先側縦枠の見込壁は、閉鎖時に扉体の戸先側端面に対向する第１部分と、室内側に位置する第２部分と、前記第１部分の室内側部位と前記第２部分の室外側部位の間に形成された気密部材嵌込用凹溝と、を備えており、前記凹溝を形成する第２部分の室外側部位は見込方向に突出する立ち上がり状の突片であり、前記突片の少なくとも一部を、前記第２部分と面一の立ち上がり状態から凹溝側あるいは／および凹溝から離間する側へ回動可能な回動突片から形成する。
【０００７】
一つの好ましい態様では、前記回動突片は、立ち上がり状態において凹溝側へ回動可能であり、かつ、凹溝から離間する側への回動は規制されている。
【発明の効果】
【０００８】
本発明では、仮に扉体と吊元側縦枠との間に指を挟んでしまった場合でも、当該縦枠の一部を形成する回動突片が逃げるように回動するので、挟まれた指にかかる力を緩和し、指を痛めることがない。回動突片は、通常の立ち上がり状態では縦枠の見込壁である第２部分と面一であるので、意匠上の美観も良好である。また、本発明の指詰め防止構造は、既設のドア装置の気密部材嵌込用凹溝を形成する突片を改修することで提供することができる。
【０００９】
回動突片は、立ち上がり状態において凹溝側へ回動可能であり、かつ、凹溝から離間する側への回動は規制されているものでは、凹溝が開くことを防止することで、気密部材を接着剤を用いずに単に凹溝に嵌め込んでいるような場合でも凹溝から気密部材が離脱することがない。
【発明を実施するための最良の形態】
【００１０】
図１は、ドア装置の正面図であって、（Ａ）は室外側から見た正面図、（Ｂ）は室内側から見た正面図である。ドア装置は開き戸であって、ドア枠１と、ドア枠１に対して回動可能に取り付けられた扉体２とからなる。ドア装置のドア枠１は、戸先側縦枠１０、吊元側縦枠（戸尻側縦枠）１１、上枠１２、下枠１３から構成されている。扉体２は、室外側面部２０、室内側面部２１、戸先側端面２２、吊元側端面（戸尻側端面）２３と、を備えている。扉体２の室内側面部２１の戸先側部位及び吊元側部位、すなわち室内側面部２１と戸先側端面２２、吊元側端面２３とのそれぞれの角部は曲面に形成されており、仮に指が挟まった場合であっても、衝撃を緩和するようにしている。扉体２の吊元側は丁番３を介して吊元側縦枠１１に取り付けられており、扉体２の室内側面部２１、室外側面部２２にそれぞれ設けた取手４を掴んで扉体２を開放させ、開放した扉体２は扉体２の上方部位に設けたドアクローザ５によって自動的に閉鎖する。
【００１１】
戸先側縦枠１０の見込壁は、開口部閉鎖時に扉体の戸先側端面２２と対向する第１部分１０Ａと、室内側に位置する第２部分１０Ｂと、からなり、第１部分１０Ａは第２部分１０Ｂに対して開口幅方向外側に位置しており、第１部分１０Ａの室内側部位と第２部分１０Ｂの室外側部位との間には凹溝１０Ｃが形成されている。凹溝１０Ｃは、第１部分１０Ａの室内側部位と、第２部分１０Ｂの室外側部位である立ち上がり状の突片１０Ｄと、底片１０Ｃ´、とから断面視（平面視）コ字状に形成されている。開口部閉鎖時において、見込方向に延出する立ち上がり状の突片１０Ｄの先端は扉体２の室内側面部２１の戸先側端面２２近傍に隙間を介して対向している。凹溝１０Ｃに気密ゴム６を設けることで、開口部閉鎖時に戸先側縦枠１０と扉体２の戸先側部位の隙間を塞ぐようにしている。
【００１２】
吊元側縦枠１１の見込壁は、開口部閉鎖時に扉体２の吊元側端面２３と対向する第１部分１１Ａと、室内側に位置する第２部分１１Ｂと、からなり、第１部分１１Ａは第２部分１１Ｂに対して開口幅方向外側に位置しており、第１部分１１Ａの室内側部位と第２部分１１Ｂの室外側部位との間には凹溝１１Ｃが形成されている。凹溝１１Ｃは、第１部分１１Ａの室内側部位と、第２部分１１Ｂの室外側部位である立ち上がり状の突片１１Ｄと、底片１１Ｃ´、とから断面視（平面視）コ字状に形成されている。開口部閉鎖時において、見込方向に延出する立ち上がり状の突片１１Ｄの先端は扉体２の室内側面部２１の吊元側端面近傍に隙間を介して対向している。凹溝１１Ｃに気密ゴム６を設けることで、開口部閉鎖時に吊元側縦枠１１と扉体２の吊元側部位の隙間を塞ぐようにしている。
【００１３】
戸先側縦枠１０の構成要素、吊元側縦枠１１の構成要素、気密部材６は、高さ方向に延出している。戸先側の突片１０Ｄ、吊元側の突片１１Ｄの高さ方向の所定部位は、突片１０Ｄ、１１Ｄの当該所定部位を除く部位（非回動突片１０Ｄ´´、１１Ｄ´´）に対して回動可能な回動突片１０Ｄ´、１１Ｄ´となっている。図３（Ｂ）に示すように、回動突片１０Ｄ´、１１Ｄ´は、通常の立ち上がり状態では、第２部分１０Ｂ、１１Ｂ、突片１０Ｄ、１１Ｄと面一の見込面を形成している。以下、吊元側の突片１１Ｄについて説明する。図４に示すように、吊元側縦枠１１の突片１１Ｄの高さ方向の所定部位において、回動突片１１Ｄ´が形成されている。回動突片１１Ｄ´が形成される所定部位は、扉体２の通常の開閉時に、人（子供を含む）の指が掛かり得る高さを想定して設けてある。
【００１４】
回動突片１１Ｄ´は、丁番７を介して突片１１Ｄの非回動突片１１Ｄ´´に回動可能に取り付けられる。突片１１Ｄの回動突片１１Ｄ´に対応する部位は切り欠かれており、回動突片１１Ｄ´は、丁番７を用いて、突片１１Ｄの非回動突片１１Ｄ´´及び底部１１Ｃ´に凹溝１１Ｃ側に回動可能に取り付けられている。
【００１５】
突片１０Ｄ、１１Ｄ、すなわち、回動突片１０Ｄ´、１１Ｄ´、非回動突片１０Ｄ´´、１１Ｄ´´は板材を折り重ねることで、凹溝１１Ｃ側に位置する板部と、開口部側に位置して見込面を形成する板部と、の２枚の同じ厚みの板部から形成されている。図５、図６に示すように、回動突片１１Ｄ´の本体部は２枚の板部からなるが、上下の部分１１０Ｄ´は凹溝１１Ｃ側に位置する１枚の板材からなる。一方、突片１１Ｄの非回動突片１１Ｄ´´において、回動突片１１Ｄ´の上下の部分１１０Ｄ´に対応する部分１１０Ｄ´´は、開口部側に位置して見込面を形成する１枚の板材からなる。回動突片１１Ｄ´が見込み方向に突出している通常の立ち上がり状態では、開口部側に位置して見込面を形成する部分１１０Ｄ´´の凹溝１１Ｃ側の面部に、凹溝１１Ｃ側に位置する部分１１０Ｄ´の面部が当接して重なり合った状態となっている。この状態では、回動突片１１Ｄ´、第２部分１１Ｂ、非回動突片１１Ｄ´´、は面一の見込面を形成している。部分１１０Ｄ´´は、回動突片１１Ｄ´の部分１１０Ｄ´の開口部側（凹溝１１Ｃ側とは反対側）に位置しており、回動突片１１Ｄ´が立ち上がり状態において、さらに凹溝１１Ｃから離間する方向に回動することを規制するストッパとしての役割を有している。尚、仮に、回動突片１１Ｄ´が立ち上がり状態から凹溝１１Ｃから離間する方向に回動し、凹溝Ｃ側への回動が規制されているような場合には、開口部側に位置して見込面を形成する板部が部分１１０Ｄ´を構成し、凹溝１１Ｃ側に位置する板部が部分１１０Ｄ´´を構成する。また、非回動突片１１Ｄ´´において、上側の部分１１０Ｄ´´の下縁と、下側の部分１１０Ｄ´´の上縁は回動突片１１Ｄ´の本体部に対応して切り欠かれた開口となっている。上側の部分１１０Ｄ´´の下縁（開口の上縁）は、突片１１Ｄの先端に向かって上向きの傾斜縁１１Ｅとなっており、下側の部分１１０Ｄ´´の下縁（開口の下縁）は、突片１１Ｄの先端に向かって下向きの傾斜縁１１Ｅとなっている。開口の上下縁を傾斜縁１１Ｅから形成することで、開口の上下縁に形成される角部の角度を鈍角として当該角部に当たった場合の衝撃を緩和している。
【００１６】
吊元側の突片１１Ｄの回動突片１１Ｄ´について説明したが、回動突片１１Ｄ´についての構成の説明は、戸先側の突片１０Ｄの回動突片１０Ｄ´に援用することができる。
【００１７】
通常の開口部閉鎖状態では、図３（Ｂ）に示すように、回動突片１０Ｄ´、１１Ｄ´は共に見込方向に突出した立ち上がり状態であり、突片１０Ｄ（回動突片１０Ｄ´＋非回動突片１０Ｄ´´）、１１Ｄ（回動突片１１Ｄ´＋非回動突片１１Ｄ´´）は凹溝１０Ｃ、１１Ｃを形成しており、凹溝１０Ｃ、１１Ｃには気密部材６がそれぞれ嵌め込まれている。立ち上がり状態にある回動突片１０Ｄ´、１１Ｄ´の凹溝１０Ｃ、１１Ｃから離間する方向への回動は規制されているので、気密部材６が単に（接着剤を用いず）凹溝１０Ｃ、１１Ｃに嵌め込まれている場合であっても、凹溝１０Ｃ、１１Ｃが開いて気密部材６が凹溝１０Ｃ、１１Ｃから離脱することがない。また、通常の立ち上がり状態においては、回動突片１０Ｄ´、１１Ｄ´の高さ方向の上下部位（１１０Ｄ´のみ図示）は、突片１０Ｄ、１１Ｄの非回動突片１０Ｄ´´、１１Ｄ´´の切り欠き部の上下部位（１１０Ｄ´´のみ図示）と面一で重なっているので、意匠上の美観が良好である。
【００１８】
扉体２の閉鎖時に、仮に、扉体２の戸先側あるいは吊元側において指が挟まった場合には、図３（Ａ）に示すように、立ち上がり状の回動突片１０Ｄ´、１１Ｄ´が気密部材６を圧縮しながら凹溝１０Ｃ、１１Ｃ側へ倒れるように回動する。したがって、指が扉体２とドア枠１の縦枠１０、１１との間に挟まれた場合であっても、回動突片１０Ｄ´、１１Ｄ´が逃げるように回動するので、挟まれた指に与える衝撃を緩和することができ、指を痛めることがない。図示の例では、回動突片１０Ｄ´、１１Ｄ´は丁番７を用いて回動可能となっているのみであり、回動突片１０Ｄ´、１１Ｄ´が図３（Ａ）の状態から図３（Ｂ）の状態に自動復帰することはない。尚、バネ材を設けて回動突片が自動的に元の位置に復帰するようにしてもよいが、この場合には、指詰め防止の効果を減殺しないようなバネ力を設定する必要がある。
【００１９】
本発明に係る指詰め防止構造は、図２に示すような既存の縦枠１０，１１に対して金物を用いて改修することで構成することができ、既存設備に対して低コストで指詰め構造を提供することができる。図示の例では、戸先側、吊元側の両方に指詰め防止構造を設けたが、吊元側のみに指詰め防止構造を設けても良い。上述の実施形態では、回動突片１０Ｄ´、１１Ｄ´は丁番７を介して回動可能となっている。既設のドア装置に対して本発明の指詰め防止構造を提供する場合には、丁番７を用いることは簡易であるという利点はあるが、回動突片の回動手段は丁番に限定されるものではなく、回動軸を介して回動突片を回動可能とするものでもよい。図示の例では、立ち上がり状態から凹溝１０Ｃ側に回動する回動突片１０Ｄ´、１１Ｄ´を示したが、立ち上がり状態から凹溝側に回動する回動突片、あるいは立ち上がり状態から両方向に回動する回動突片を用いても良い。その場合には、気密部材は凹溝に対して接着剤で固定されていることが望ましい。図示の例では、突片１０Ｄ、１１Ｄの高さ方向の所定部位に形成した回動突片１０Ｄ´、１１Ｄ´を示したが、突片１０Ｄ、１１Ｄ全体を回動可能としてもよい。また、回動突片は高さ方向に分割された複数の片であってもよい。
【産業上の利用可能性】
【００２０】
本発明は、開き戸の指詰め防止に利用することができる。
【図面の簡単な説明】
【００２１】
【図１】ドア装置の正面図であって、（Ａ）は室外側から見た正面図、（Ｂ）は室内側から見た正面図である。
【図２】従来のドア装置の横断面図、あるいは、本発明の指詰め防止構造を設けたドア装置において指詰め防止構造を設けていない部位における横断面図である。
【図３】本発明の指詰め防止構造を設けたドア装置において指詰め防止構造を設けた部位における横断面図であり、（Ａ）は回動突片が回動した状態、（Ｂ）は回動突片が回動していない通常の立ち上がり状態を示す。
【図４】（Ａ）はドア装置を室外側からみた正面図の吊元側を示す部分図、（Ｂ）は図４（Ａ）において矢印方向から見た吊元側縦枠の側面図を示す。
【図５】吊元側縦枠の平面図、及び、部分側面図である。
【図６】回動突片の取り付けを示す分解斜視図である。
【符号の説明】
【００２２】
１  ドア枠
１０  戸先側縦枠
１０Ａ  第１部分
１０Ｂ  第２部分
１０Ｃ  凹溝
１０Ｄ  突片
１０Ｄ´  回動突片
１１  吊元側縦枠（戸尻側縦枠）
１１Ａ  第１部分
１１Ｂ  第２部分
１１Ｃ  凹溝
１１Ｄ  突片
１１Ｄ´  回動突片
２  扉体
６  気密部材
７  丁番
【図１】
2008223319.tif 000003
【図２】
2008223319.tif 000004
【図３】
2008223319.tif 000005
【図４】
2008223319.tif 000006
【図５】
2008223319.tif 000007
【図６】
2008223319.tif 000008